(57)【特許請求の範囲】
【請求項１】
発呼装置と被呼装置との間で通信セッションをセットアップする方法であって
前記発呼装置において、発呼人又は前記セッションの表題に関連付けられる呼び出し関連情報が提供されるステップと、
前記発呼装置において、前記呼び出し関連情報がおかれたネットワーク上の位置を示す参照情報を前記通信セッションの確立のためのシグナリング・メッセージ内に含めて前記被呼装置へ送信するステップと含み、
前記参照情報は、前記被呼装置において前記呼び出し関連情報を取得するために使用される
方法。
【請求項２】
前記通信セッションが電話呼び出し、テキスト・チャット呼び出し、またはビデオ会議呼び出しである、請求項１記載の方法。
【請求項３】
前記呼び出し関連情報が前記発呼人により定義されるか、レポジトリから選択される、請求項１記載の方法。
【請求項４】
前記呼び出し関連情報が呼び出しの理由の表示、または、前記呼び出しの目的の表示、または前記呼び出しの緊急度の表示を含む、請求項１記載の方法。
【請求項５】
前記呼び出し関連情報がセンサを通じて、前記発呼人を識別することにより定義され、前記センサが音声分析器、スキャナ、カメラなどを含む、請求項１記載の方法。
【請求項６】
前記呼び出し関連情報が、テキスト、写真、イメージ、グラフィック、動画、オーディオ・クリップ、ビデオ・クリップ、またはそれらの任意の組み合わせとして示される、請求項１記載の方法。
【請求項７】
前記参照情報はＵＲＬ形式で前記被呼装置へ送信され、前記被呼装置は前記ＵＲＬにより示される位置から前記呼び出し関連情報を取得する、請求項１記載の方法。
【請求項８】
前記呼び出し関連情報が視覚、聴覚、触覚、嗅覚または味覚情報に変換される、請求項１記載の方法。
【請求項９】
呼び出しが着信していることを示す警報信号が前記被呼装置に提供され、前記警報信号が前記呼び出し関連情報に基づいて表示される請求項１記載の方法。
【請求項１０】
前記セッションの確立を継続するかどうかを決定するために前記呼び出し関連情報が前記被呼装置により処理される、請求項１記載の方法。
【請求項１１】
被呼装置との通信セッションをセットアップする装置であって、
ネットワーク及び前記セッションを可能にするユニットへの接続と、
発呼人又は前記セッションの表題に関連付けられる呼び出し関連情報を生成または選択するユニットと、
前記呼び出し関連情報を処理するユニットと、
前記ネットワークを介して、前記呼び出し関連情報がおかれたネットワーク上の位置を示す参照情報を前記通信セッションの確立のためのシグナリング・メッセージ内に含めて前記被呼装置に送信する送信機とを含み、
前記参照情報は、前記被呼装置において前記呼び出し関連情報を取得するために使用される
装置。
【請求項１２】
発呼人又は通信セッションの表題に関連付けられる呼び出し関連情報を生成または選択する発呼装置との前記通信セッションを確立する装置であって、
ネットワーク及び前記通信セッションを可能にするユニットへの接続と、
前記通信セッションの確立のためのシグナリング・メッセージ内に含まれた、前記呼び出し情報がおかれたネットワーク上の位置を示す参照情報を受信する受信機と、
前記参照情報を使用して取得した前記呼び出し関連情報を処理及び出力するユニットと、
を含む、装置。
【請求項１３】
通信システムであって、
ネットワーク及び通信セッションを可能にするユニットへの接続と、
発呼人又は前記セッションの表題に関連付けられる呼び出し関連情報を生成または選択するユニットと、
前記呼び出し関連情報を処理するユニットと、
前記ネットワークを介して、前記呼び出し関連情報がおかれたネットワーク上の位置を示す参照情報を前記通信セッションの確立のためのシグナリング・メッセージ内に含めて送信する送信機とを含む発呼装置と、
前記ネットワーク及び前記通信セッションを可能にするユニットへの接続と、
前記参照情報を含むシグナリング・メッセージを受信する受信機と、
前記参照情報を使用して取得した前記呼び出し関連情報を処理及び出力するユニットとを含む被呼装置と、
を含む通信システム。
【請求項１４】
前記呼び出し関連情報が、マイクロフォン、音声分析器、スキャナ、カメラ、キーボード、ノートパッドなどを通じて記録可能であるか、提供されるファイルの形式で選択可能である、請求項１１記載の装置。
【請求項１５】
前記呼び出し関連情報が、スピーカ、表示装置、スクリーン、プリンタ、またはランプやＬＥＤなどのシグナリング素子、或いはそれらの組み合わせにより出力可能である、請求項１２記載の装置。
【請求項１６】
発呼装置のプロセッサにより実行されるマシン読取り可能コードを含むコンピュータ・プログラムであって、前記コンピュータ・プログラムは、前記発呼装置に、
前記発呼装置と被呼装置との間で通信セッションをセットアップするステップと、
発呼人又は前記セッションの表題に関連付けられる呼び出し関連情報を生成または選択するステップと、
ネットワークを介して、前記呼び出し関連情報がおかれたネットワーク上の位置を示す参照情報を前記通信セッションの確立のためのシグナリング・メッセージ内に含めて前記被呼装置に送信するステップとを実行させ、
前記参照情報は、前記被呼装置において前記呼び出し関連情報を取得するために使用される、コンピュータ・プログラム。
【請求項１７】
被呼装置のプロセッサにより実行されるマシン読取り可能コードを含むコンピュータ・プログラムであって、前記コンピュータ・プログラムは、前記被呼装置に、
発呼人又は前記セッションの表題に関連付けられる呼び出し関連情報を生成又は選択する発呼装置と前記被呼装置との間で通信セッションをセットアップするステップと、
前記通信セッションの確立のためのシグナリング・メッセージ内に含まれた呼び出し関連情報がおかれたネットワーク上の位置を示す参照情報をネットワークを介して、前記発呼装置から受信するステップと、
前記参照情報を使用して取得した前記呼び出し関連情報を出力するステップとを実行させる、コンピュータ・プログラム。
【発明の詳細な説明】
【０００１】
【発明の属する技術分野】
本発明は、通信セッションをセットアップする方法、装置及び通信システムに関する。より詳細には、本発明は電話または会議接続に関して、参加ユーザに高度な識別を与えるものである。
【０００２】
【従来の技術】
通信分野の発展は、ここ数年の間に新たな規格を打ち立てた。例えば、アナログ電話技術は、新たな分野及び可能性を開花するデジタル技術に切り替わった。テキスト、音声、データ・ファイルまたはビデオなどの単一メディア・タイプは、新たなマルチメディア技術により一緒に融合され、新たな興味深いアプリケーションを生成する。
【０００３】
電子メールを通信のために使用するとき、表題は電子メール・メッセージの送信者及び受信者の両方にとって重要なフィーチャである。このフィールドに含まれる情報により、送信者は通常、受信者の注意をメッセージの目的に向けさせようとする。他方、電子メール・メッセージの受信者はこのフィールドの内容を使用し、メッセージの重要度を評価し、それをすぐにまたは後に読むべきかを判断する。
【０００４】
しかしながら、現電話システムでは、電子メールの表題に等価な使用可能なフィーチャは存在しない。被呼加入者に送信されるのは、せいぜい起呼加入者の電話番号ぐらいである。次に宛先において、それぞれの電話機が表示装置を有する場合、その番号が被呼加入者に示され、被呼加入者に発呼人を知らせ、被呼加入者がその呼び出しに応答すべきか否かを判断するための支援をする。例えば、起呼加入者の電話番号である呼び出し回線識別が、統合サービス・デジタル網（ＩＳＤＮ）において、呼び出し制御シグナリングで使用されるバンド外Ｄチャネルにおいて送信される。
【０００５】
一部のシステムでは、米国特許第４８９９３５８号で開示されるように、起呼加入者番号が呼び出し音を選択するために、或いは発呼人の名前または写真を検索するために使用される。
【０００６】
起呼加入者番号を前述のように利用することには、２つの弱点が存在する。
【０００７】
起呼加入者番号の情報内容は制限される。それは被呼加入者に誰が呼び出しているかを告げるだけであり、例えば被呼加入者に呼び出しの理由または目的を告げることは可能でない。
【０００８】
あるケースでは、誰が呼び出しているかといった情報が誤解を招き得る。なぜなら、起呼加入者番号が実際の発呼人により提供されるのではなく、システム自身により提供されるからである。例えば、ジェーンがボブの電話を使用してジョーを呼び出している場合、彼女の呼び出しはボブからの呼び出しとして、ジョーの電話機に表示される。
【０００９】
米国特許第５８２１８７４号は、音声通知を有するメッセージング端末に関連する。無線メッセージング端末において、入来メッセージを受信及び処理する方法が開示される。
【００１０】
米国特許第５２７６７３１号は、入来電話呼び出しを処理する方法及び装置について述べている。この方法は、所定のメッセージを所定の起呼加入者に転送するために、または入来電話呼び出しの所定の優先順位付けされた選別のために、及び所定の選択基準に従い、入来電話呼び出しを再度経路指定するために使用され得る。
【００１１】
緊急電話メッセージング・システムが米国特許第５７１０８０３号で開示されている。このシステムは緊急事態において、単一ボタンの押下により、警察、消防署または救急車部門に自動的にダイアルし、予め記録されたメッセージを送出するために提供される。
【００１２】
米国特許第５４８１５９４号は、ユーザの電話と電話交換機間に接続され、起呼加入者番号または名前などの起呼加入者識別を提供する音声発呼人識別ユニットについて述べている。
【００１３】
以下では、Ｈ．３２３及びＱ．９３１の２つの規格について述べる。
【００１４】
Ｈ．３２３はマルチメディア電子会議規格であり、元来、ＩＳＤＮを介するビデオ会議及び他の回線交換網及びサービスを扱うＨ．３２０の適応化として開発された。Ｈ．３２０は１９９０年に批准されたので、企業は競ってローカル・エリア・ネットワーク（ＬＡＮ）、及び広域ネットワーク（ＷＡＮ）に接続するためのＬＡＮゲートウェイを実装した。Ｈ．３２３はＨ．３２０規格の論理的及び必要な拡張を超えて発展し、企業イントラネット及びパケット交換網を一般に含む。Ｈ．３２３は国際的に標準化されたコーデックと共に、ＩＥＴＦ（Internet Engineering Task Force）からのリアルタイム・プロトコル（ＲＴＰ／ＲＴＣＰ）を使用する。バージョン２の批准により、Ｈ．３２３はインターネットを介するビデオ及び他の通信のためにも使用されている。他のＩＴＵマルチメディア電子会議規格と同様、Ｈ．３２３はマルチポイント・セッション及びポイント間セッションに適用する。Ｈ．３２３に関する詳細については、ＩＴＵ−Ｔ、Recommendation H．323（02/98） - Packet-based multimedia communications systems、Geneva、February 1998で見い出される。
【００１５】
Ｑ．９３１は、制御シグナリングのために設計された統合サービス・デジタル網（ＩＳＤＮ）仕様であり、従ってＤチャネル上でだけ使用される。Ｑ．９３１はＢチャネル上の接続を確立、維持及び解除するために使用される。Ｑ．９３１はユーザとネットワーク間のプロトコルである。Ｑ．９３１に関する詳細は、ＩＴＵ−Ｔ、Recommendation Q．931（03/93） - Digital Subscriber Signalling System No．1（DSS 1） - ISDN user-network interface layer 3 specification for basic call control、Geneva、March 1993で見い出される。
【００１６】
【発明が解決しようとする課題】
本発明の目的は、電話呼び出しのイニシエータが自分の呼び出しに表題（subject）オブジェクトを添付することを可能にする方法を提供することである。被呼加入者側では、表題オブジェクトがレンダリングされ、被呼加入者に呼び出しの理由または目的に関するより多くの情報を提供する。
【００１７】
【課題を解決するための手段】
本発明は一般に通信セッションに関して、特に、起呼加入者と被呼加入者間の電話呼び出しのセットアップに関する。従って、起呼加入者から決定される呼び出し関連情報が被呼加入者に伝送され、起呼加入者または呼び出しの目的を識別する。用語セッションは、呼び出しの確立、保守及び解除の間に発生する全ての活動を意味する。本発明によれば、少なくとも２人がセッションに参加する。更に、こうしたセッションは、インターネットを介して通常発生するテキスト・チャット呼び出しであり得る。
【００１８】
電話呼び出しに添付される表題オブジェクトは、例えばテキスト行、音声ファイル、ビデオ・ファイル、ビットマップ、写真またはイメージ、動画、または身分証明手段などの、任意の種類であってよい。これはまた、例えばテキスト行及び対応する音声ファイルなど、複数のオブジェクトの組み合わせであってもよい。起呼加入者はこうしたオブジェクトを生成するか、例えばレポジトリ（すなわち貯蔵部）から選択される。
【００１９】
表題オブジェクトを宛先に転送するための２つの方法が存在する。本願発明は以下に説明する第２の方法を採用するが、参考のため第１の方法もあわせて説明する。
【００２０】
第１の方法では、表題オブジェクト自体及びそのタイプがシグナリング・メッセージ内に符号化され、これが呼び出しセットアップ・フェーズの間に、起呼加入者から被呼加入者に送信される。例えば、ＩＳＤＮまたはＨ．３２３のようなＱ．９３１ベースのシグナリング・システムでは、当該シグナリング・メッセージがセットアップ・メッセージである。すなわち、セッション開始プロトコル（ＳＩＰ）において、表題が勧誘メッセージ内に含まれ送信される。ファイル添付のために電子メール・システムで使用されるＭＩＭＥ（Multipart Internet Mail Extension）符号化方式が、オブジェクトを符号化するために使用され得る。次に宛先において、表題オブジェクトが呼び出し申し出時刻に被呼加入者に表示またはレンダリングされる。広範なアプリケーションのために、一部の規格は拡張されるべきである。
【００２１】
第２の方法では、表題オブジェクトの参照、例えばそのＵＲＬ（ユニフォーム・リソース・ロケータ）だけが、前記方法１で述べたシグナリング・メッセージ内に含まれ送信される。ＵＲＬを含むシグナリング・メッセージの受信に際して、宛先エンドシステムは、ＵＲＬにより示される位置から符号化オブジェクトをダウンロードし、それを呼び出し申し出時刻に被呼ユーザにレンダリングする。この第２の方法は、符号化オブジェクトのサイズがシグナリング・メッセージ内に含まれるのに大きすぎる場合に、興味深い。
【００２２】
電話呼び出しに添付される表題オブジェクトにより、発呼人の指示（テキスト、オーディオ／ビデオ・クリップ、写真などによる）、起呼加入者の認証（例えば起呼加入者の音声の認識）、呼び出しの目的の指示、緊急または非常時呼び出しの指示、リアルタイム短メッセージ（テキスト、オーディオ、ビデオなど）の転送が達成され、続いてハング・アップする。一方、電子メールまたはＧＳＭ内のメッセージは、リアルタイムでない。
【００２３】
前述のように、宛先において、表題オブジェクトが被呼加入者に表示またはレンダリングされる。用語表示は、オブジェクトの内容の処理といった非常に一般的な意味で使用される。処理の結果は、ことによるとある種の情報表示を伴う呼び出しの申し出（リンギング）を導出するか、呼び出しを別の宛先に再転送する。例えばコール・センタの場合、表題に関してより有能で、しかも呼び出しを拒絶する資格のあるエージェントに再転送する。
【００２４】
起呼加入者から被呼加入者に送信される表題オブジェクトと同様、被呼加入者も自分の呼び出しに対する即時応答として、オブジェクトを起呼加入者に送信することができ、例えば、自分が呼び出しに応答できない理由を示し、自分への呼び出しのための別の時刻を提案したりする。
【００２５】
呼び出し関連情報が発呼人により定義されるか選択される場合、被呼人が呼び出しを送信している人物を正確に知り、自分が電話に出るか否かを決定することができる利点がある。
【００２６】
呼び出し関連情報がセッションの目的の指示、または前記セッションの緊急度の指示を含むとき、被呼人がセッションのトピックを既に知り、準備済みであるか、緊急時の場合、被呼人が即時対応できる利点がある。
【００２７】
呼び出し関連情報は、例えば音声分析器、スキャナ、カメラなどのセンサを通じて、発呼人を識別することにより生成され得る。これらのセンサは、非常に多彩な呼び出し関連情報を生成する。
【００２８】
呼び出し関連情報が視覚、聴覚、触覚、嗅覚または味覚情報に変換され、テキスト、写真、イメージ、グラフィック、動画、オーディオ・クリップ、ビデオ・クリップ、またはそれらの組み合わせとして示されるか、或いは特定の装置を始動することにより、被呼人が異なる様式で知らされる利点がある。これは特に、身体障害者にとって有用である。
【００２９】
呼び出し関連情報が伝送され、セッションが後に中断されるとき、被呼人がリアルタイム情報を獲得し、即時反応できる利点がある。
【００３０】
呼び出し関連情報が通信セッションの確立の間に伝送される場合、呼び出し関連情報が通信が開始する前に表示されるか、レンダリング、伝達、または出力され得る。
【００３１】
呼び出し関連情報が被呼装置により処理され、呼び出しの処理に関する決定が下される場合、コール・センタすなわちサービス・ステーションに属する被呼装置を例に取ると、特定種類の情報だけをレンダリングしたり、呼び出し関連情報を変換したり、呼び出しを別の宛先に経路指定したり、或いは呼び出しを拒絶するなど、呼び出し関連情報がより効率的に処理される。
【００３２】
【発明の実施の形態】
以下では、図１を参照しながら、本発明の一般的な実施例について述べる。
【００３３】
図１は、発呼人１が被呼人２に呼び出し関連情報３を送信する、電話呼び出し９の確立のステップ毎の概略図を示す。第１のステップは、発呼人１、センサ４を含む発呼装置７、及び被呼人２、出力ユニット５を含む被呼装置８を含む。発呼装置７はネットワーク６に接続され、ネットワーク６は例えば電話ネットワーク、イントラネット、またはインターネットなどの、任意の種類のネットワークであってよい。被呼装置８もネットワーク６に接続される。
【００３４】
以下では、発呼装置７及び被呼装置８について詳述する。
【００３５】
最初に、発呼装置７は拡張フィーチャを有するＩＳＤＮ電話である。これは装置７がマイクロフォンと一緒にデジタル・レコーダを含み、オーディオ信号を記録することを意味する。電話は更にセンサ４を含み得、これは音声分析器、カメラ、バーコード・リーダ、キーボード、ノートパッド、スキャナ、或いは人、場所、環境またはにおいの識別のための装置などである。本発明の目的上、呼び出し関連情報３は、被呼人２にテキスト、音声、音楽、りんりん音、写真、イメージ、動画、グラフィック、ビデオなどの形式で出力または表示され得る、任意の種類の情報を意味する。用語表示は、ここでは情報の処理といった非常に一般的な意味で使用される。処理の結果は、ことによるとある種の情報表示を伴う呼び出しの申し出を導出するか、呼び出しを別の宛先に再転送する。呼び出し関連情報３はデータとして記憶され得る。これらのデータは圧縮され、呼び出し関連情報３と共に、シグナリング・メッセージ内に含まれ送信される。例えば、Ｑ．９３１ベースのシステムでは、セットアップ・メッセージ内に実装される。更に、発呼装置７はコンピュータ、マルチメディア・コンピュータまたは装置、組み込み装置、或いは通信セッションを処理できる任意の他の種類の装置である。このセッションはＩＰ（インターネット・プロトコル）パケットを使用することにより、インターネットを介して確立される。ＩＰ電話は規格Ｈ．３２３を使用し、そこではユーザ間情報が容易に且つ効率的に送信される。ＩＰの別の利点は、任意のデータ形式がパケット内に含まれ送信され、従って、呼び出し関連情報３がＵＲＬにより参照されるとき、それが容易に検索されることである。
【００３６】
規格Ｑ．９３１及びＨ．３２３は、それらの全部が参考のために本明細書に組み込まれる。
【００３７】
第２に、被呼装置８は前述の発呼装置７のフィーチャまたはパーツを有する装置である。被呼装置８は更に出力ユニット５を含み、これはスピーカ、音響システム、モニタ、表示装置、スクリーン、プリンタ、呼び出し関連情報３を再経路指定する装置、または呼び出し関連情報３を被呼人２に出力または表示可能な任意の他の装置である。
【００３８】
図１を参照すると、第１のステップで、呼び出し関連情報３が生成される。最初に、発呼人１が呼び出し関連文を話し、呼び出し関連文書が発呼装置７に示される。簡略化のため、発呼装置７は前述のフィーチャを有する高性能電話機として示される。センサ４は、ここでは音声分析器及びスナップショット・カメラ４ｂに接続されるマイクロフォン４ａであり、文を記録し、文書の写真を取る。この呼び出し関連情報３はデジタル化され、データとして提供される。
【００３９】
次にステップ２で、発呼人１はボタンを押下することにより、電話呼び出し９の確立を開始する。簡略化のため、ステップ２及び以降のステップでは、構造、従って番号付けは前述したのと同一である。呼び出し関連情報３が実装され、ＩＳＤＮ及び規格Ｑ．９３１を使用する場合では、セットアップ・メッセージ１０内に含まれネットワーク６に送信される。ＩＰ及びＨ．３２３を使用する場合、呼び出し関連情報３が実装され、セットアップ・メッセージ内に含まれ、ネットワーク６に送信され得る。
【００４０】
次のステップすなわちステップ３では、呼び出し関連情報３を有するセットアップ・メッセージ１０が、ネットワーク６を介して経路指定されるが、まだ被呼装置８に達していない。
【００４１】
ステップ４では、呼び出し関連情報３がネットワーク６を通過し、呼び出し関連文を含む警報信号１１の出力を、出力ユニット５を使用することにより、被呼人２に示す。この場合、出力ユニット５はスピーカ５ａである。更に、呼び出し関連文書が表示装置５ｂに示される。この時点で、被呼人２は既に出力音声及び表示文書により、呼び出しの重要度に関して知らさせる。従って、呼び出しの内容により速く反応することが可能になり、時間を浪費する説明を必要としない。音楽またはりんりん音が再生される場合、多くの人々が呼び出し関連情報３の出力の近くにいる場合、発呼人及び呼び出しの関連性が、１人の被呼人により認識され得る。
【００４２】
最後に、発呼装置７及び被呼装置８はネットワーク６を介して接続され、発呼人１及び被呼人２が会話で結ばれる。電話呼び出し９が確立され、電話呼び出し９のステータスが接続となり、ネットワーク６を介する通信が開始する。被呼人２は予め呼び出しのトピックに関して知らされ、表示文書を表示装置５ｂ上で見る。
【００４３】
本発明の幾つかのまたは全ての態様が、ハードウェア、ソフトウェアまたはそれらの組み合わせにより実現され得る。ソフトウェアにより実現される場合、このソフトウェアが発呼装置７または被呼装置８のプロセッサにより実行され、本方法を実行するようにそれぞれのシステムを制御する。
【００４４】
まとめとして、本発明の構成に関して以下の事項を開示する。
【００４５】
（１）発呼人と被呼人との間で通信セッションをセットアップする方法であって、
前記発呼人により決定され、前記発呼人または前記セッションの表題に関連付けられる呼び出し関連情報を前記被呼人に伝送するステップと、
前記関連情報または前記セッションの表題を、前記被呼人の出力装置により出力するステップと、
前記被呼人に呼び出しが着信していることを警報するステップと
を含む、方法。
（２）前記通信セッションが電話呼び出し、テキスト・チャット呼び出し、またはビデオ会議呼び出しである、前記（１）記載の方法。
（３）前記呼び出し関連情報が前記発呼人により定義されるか、レポジトリから選択される、前記（１）記載の方法。
（４）前記呼び出し関連情報が前記発呼人の指示、前記呼び出しの目的の指示、または前記呼び出しの緊急度の指示を含む、前記（１）記載の方法。
（５）前記呼び出し関連情報がセンサを通じて、前記発呼人を識別することにより定義され、前記センサが音声分析器、スキャナ、カメラなどを含む、前記（１）記載の方法。
（６）前記呼び出し関連情報が、テキスト、写真、イメージ、グラフィック、動画、オーディオ・クリップ、ビデオ・クリップ、またはそれらの任意の組み合わせとして示される、前記（１）記載の方法。
（７）前記呼び出し関連情報が伝送され、前記セッションが後に中断される、前記（１）記載の方法。
（８）前記呼び出し関連情報が視覚、聴覚、触覚、嗅覚または味覚情報に変換される、前記（１）記載の方法。
（９）前記呼び出し関連情報が前記セッションの確立の間に伝送される、前記（１）記載の方法。
（１０）警報信号が前記被呼人に提供され、呼び出しが着信していることを示し、前記警報信号が前記呼び出し関連情報自身により表される、前記（１）記載の方法。
（１１）前記呼び出し関連情報が被呼装置により処理され、前記セッションの処理を決定する、前記（１）記載の方法。
（１２）被呼装置との通信セッションをセットアップする装置であって、発呼人または前記セッションの表題に関連付けられる呼び出し関連情報を生成可能または選択可能なものにおいて、
ネットワーク及び前記セッションを可能にするユニットへの接続と、
前記呼び出し関連情報を生成または選択するユニットと、
前記呼び出し関連情報を処理するユニットと、
前記ネットワークを介して、前記呼び出し関連情報を前記被呼装置に送信する送信機と
を含む、装置。
（１３）発呼装置との通信セッションを確立する装置であって、発呼人または前記セッションの表題に関連付けられる呼び出し関連情報が伝送されるものにおいて、
ネットワーク及び前記セッションを可能にするユニットへの接続と、
前記呼び出し関連情報を受信する受信機と、
前記呼び出し関連情報を処理及び出力するユニットと、
を含む、装置。
（１４）通信セッションをセットアップし、発呼装置と被呼装置との間で呼び出し関連情報を伝送する通信システムであって、
前記発呼装置が、
ネットワーク及び前記通信セッションを可能にするユニットへの接続と、
前記呼び出し関連情報を生成または選択するユニットと、
前記呼び出し関連情報を処理するユニットと、
前記ネットワークを介して、前記呼び出し関連情報を送信する送信機と
を含み、
前記被呼装置が、
ネットワーク及び前記セッションを可能にするユニットへの接続と、
前記呼び出し関連情報を受信する受信機と、
前記呼び出し関連情報を処理及び出力するユニットと
を含む、通信システム。
（１５）前記呼び出し関連情報が、マイクロフォン、音声分析器、スキャナ、カメラ、キーボード、ノートパッドなどを通じて記録可能であるか、提供されるファイルの形式で選択可能である、前記（１２）記載の装置。
（１６）前記呼び出し関連情報が、スピーカ、表示装置、スクリーン、プリンタ、またはランプやＬＥＤなどのシグナリング素子、或いはそれらの組み合わせにより出力可能である、前記（１３）記載の装置。
（１７）前記呼び出し関連情報が前記通信セッションの確立の間に伝送される、前記（１４）記載の通信システム。
（１８）発呼装置のプロセッサにより実行されるマシン読取り可能コードを含むコンピュータ・プログラムであって、
前記発呼装置と被呼装置との間で通信セッションをセットアップするステップと、
前記発呼装置のユーザまたは前記セッションの表題に関連付けられる呼び出し関連情報を生成または選択するステップと、
ネットワークを介して、前記呼び出し関連情報を前記被呼装置に送信するステップと
を含む、コンピュータ・プログラム。
（１９）被呼装置のプロセッサにより実行されるマシン読取り可能コードを含むコンピュータ・プログラムであって、
発呼装置と前記被呼装置との間で通信セッションをセットアップするステップと、
前記発呼装置のユーザまたは前記セッションの表題に関連付けられる呼び出し関連情報を、ネットワークを介して、前記発呼装置から受信するステップと、
前記呼び出し関連情報を出力するステップと
を含む、コンピュータ・プログラム。
【図面の簡単な説明】
【図１】ある人が別の人に呼び出し関連情報を送信する本発明のアプリケーションの概略図である。
【符号の説明】
１  発呼人
２  被呼人
３  呼び出し関連情報
４  センサ
４ａ  マイクロフォン
４ｂ  スナップショット・カメラ
５  出力ユニット
５ａ  スピーカ
５ｂ  表示装置
６  ネットワーク
７  発呼装置
８  被呼装置
９  電話呼び出し
１０  セットアップ・メッセージ
１１  警報信号
【図１】
0004157664.tif 000002